(57)【要約】【課題】複数の接続部に動作クロックを出力すると、それぞれのクロックの立ち上がり及び立ち下がりにより生じる電磁波の周りへの影響が大きい。【解決手段】電子機器は、信号の授受する動作クロックの周波数が同じ複数の外部機器が接続される複数の接続部と、複数の接続部に対して互いに位相をずらした動作クロックを出力するクロック出力部とを備える。クロック出力部は、複数の接続部のうちの２つに対して互いに逆位相の動作クロックを出力する。【選択図】図１
2012114839.tif 000002
【特許請求の範囲】
【請求項１】
信号の授受する動作クロックの周波数が同じ複数の外部機器が接続される複数の接続部と、
前記複数の接続部に対して互いに位相をずらした動作クロックを出力するクロック出力部と
を備える電子機器。
【請求項２】
前記クロック出力部は、前記複数の接続部のうちの２つに対して互いに逆位相の動作クロックを出力する請求項１に記載の電子機器。
【請求項３】
前記クロック出力部は、前記複数の接続部のうち一の接続部に外部機器が接続されておりかつ他の接続部にいずれの外部機器が接続されていない場合に、前記一の接続部および前記他の接続部に、互いに位相をずらした動作クロックを出力する請求項１または２に記載の電子機器。
【請求項４】
前記クロック出力部は、前記他の接続部に外部機器が接続された場合に、前記他の接続部への動作クロックの出力を停止し、前記外部機器との初期設定が終了した後に、前記一の接続部へ出力される動作クロックを基準にして位相をずらした動作クロックを前記他の接続部に出力する請求項３に記載の電子機器。
【請求項５】
前記クロック出力部は、前記他の接続部から前記外部機器が切り離された場合に、前記他の接続部への動作クロックの出力を継続する請求項４に記載の電子機器。
【請求項６】
前記クロック出力部は、動作クロックを遅延する遅延回路部を有する請求項１から５のいずれか１項に記載の電子機器。
【請求項７】
前記複数の接続部のそれぞれは、外部機器としてメモリーカードが接続される請求項１から６のいずれか１項に記載の電子機器。
【発明の詳細な説明】
【技術分野】
【０００１】
本発明は、電子機器に関する。
【背景技術】
【０００２】
複数の外部機器が複数の接続部を介して接続される電子機器が知られている（例えば、特許文献１参照）。このような電子機器の場合、複数の接続部のそれぞれに同位相の動作クロックを供給している。
［先行技術文献］
［特許文献］
［特許文献１］特開２００５−９２８３３号公報
【発明の概要】
【発明が解決しようとする課題】
【０００３】
しかしながら、複数の接続部に動作クロックを出力すると、それぞれの動作クロックの立ち上がり及び立ち下がりにより生じる電磁波が大きなノイズとなり、周りへの影響が大きいといった課題がある。
【課題を解決するための手段】
【０００４】
上記課題を解決するために、本発明の第１の態様は、信号の授受する動作クロックの周波数が同じ複数の外部機器が接続される複数の接続部と、前記複数の接続部に対して互いに位相をずらした動作クロックを出力するクロック出力部とを備える電子機器である。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置の全体構成図である。
【図２】第１接続部と第２接続部とに入力される動作クロックを説明する図である。
【図３】第１接続部と第２接続部とに入力される動作クロックの他の例を説明する図である。
【図４】撮像装置による格納情報の入出力動作の前半を説明するフローチャートである。
【図５】撮像装置の格納情報の入出力動作の後半を説明するフローチャートである。
【図６】５個の接続部に出力される動作クロックを説明する図である。
【図７】５個の接続部に出力される他の動作クロックを説明する図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置の全体構成図である。尚、電子機器を撮像装置に適用した例について説明する。図１に示すように、電子機器の一例である撮像装置１０は、ＣＰＵ（central processing unit ：中央処理装置）１２と、撮像素子１４と、画像処理部１６と、表示部１８と、測光センサ２０と、焦点検出センサ２２と、入力部２４と、ＡＳＩＣ２６と、第１接続部２８及び第２接続部３０とを備えている。
【０００９】
ＣＰＵ１２は、撮像装置１０の制御全般を司る。ＣＰＵ１２には、撮像素子１４と、画像処理部１６と、表示部１８と、測光センサ２０と、焦点検出センサ２２と、入力部２４と、ＡＳＩＣ２６とが信号を入出力可能に接続されている。
【００１０】
撮像素子１４は、ＣＣＤ（charge-coupled device：電荷結合素子）またはＣＭＯＳ（complementary metal-oxide semiconductor：相補型金属酸化膜半導体）等を有する。撮像素子１４は、被写体像を光電変換することによって生成した画像信号を画像処理部１６へと出力する。
【００１１】
画像処理部１６は、撮像素子１４から入力された画像信号をアナログ／デジタル変換した後、画像データへと変換して、ＣＰＵ１２へと出力する。
【００１２】
表示部１８は、液晶ディプレイ等からなる。表示部１８は、ＣＰＵ１２から入力される画像データに基づいて、被写体像、設定情報等の情報を表示する。
【００１３】
測光センサ２０は、被写体光束の光路の経路上に配置される。測光センサ２０は、レンズユニットを通じて入射した被写体光束の一部を受光する。測光センサ２０は、受光した被写体光束から被写体輝度を検出してＣＰＵ１２へと出力する。ＣＰＵ１２は、撮像素子１４の感度、シャッタ速度、絞り開度等を算出して、各部に指示を発信する。
【００１４】
焦点検出センサ２２は、レンズユニットの光学系が形成した被写体像からデフォーカス量を検出して、レンズユニットを合焦させる。この過程で、焦点検出センサ２２は、撮像素子１４から被写体までの距離に関する情報も取得する。
【００１５】
第１接続部２８及び第２接続部３０のそれぞれには、第１メモリーカード９０及び第２メモリーカード９２が接続される。第１接続部２８に接続される第１メモリーカード９０と第２接続部３０に接続される第２メモリーカード９２は、信号の授受する動作クロックの周波数が同じである。尚、第１メモリーカード９０及び第２メモリーカード９２は、同種のメモリーカードであってもよく、動作クロックが同じ周波数の異なるメモリーカードであってもよい。
【００１６】
入力部２４は、レリーズボタン、ダイアル、十字キー、押しボタン等による使用者の操作を入力として受け付け、入力した指示、設定値等を保持する。ＣＰＵ１２は、入力部２４を参照して、動作条件を決定する。
【００１７】
ＡＳＩＣ２６は、ＣＰＵ１２によって入力される画像情報等を含む格納情報を外部機器の一例である第１メモリーカード９０または第２メモリーカード９２に格納し、それから取得する。尚、メモリーカード９０、９２として、ＳＤメモリーカード、ｍｉｃｒｏＳＤカード、ｍｉｎｉＳＤカードを適用することができる。更に、メモリースティック、メモリースティックデュオ、メモリースティックマイクロ、コンパクトフラッシュ（登録商標）、マルチメディアカード、ｘＤピクチャーカード、スマートメディア、ＳｅｃｕｒｅＭＭＣ等をメモリーカード９０、９２として適用できる。ＡＳＩＣ２６は、データ入出力部３２と、コマンド入出力部３４と、クロック出力部３６とを備えている。
【００１８】
データ入出力部３２は、ＣＰＵ１２によって入力される格納情報を第１接続部２８または第２接続部３０へと出力して、メモリーカード９０、９２に格納する。また、データ入出力部３２は、メモリーカード９０、９２に格納されている格納情報をＣＰＵ１２からの指示により取得する。
【００１９】
コマンド入出力部３４は、データ入出力部３２から入力される格納情報を格納させるためのコマンドを第１接続部２８及び第２接続部３０に出力して、メモリーカード９０、９２に格納情報を格納する。コマンド入出力部３４は、メモリーカード９０、９２に格納されている格納情報を取得するためのコマンドを第１接続部２８及び第２接続部３０に出力して、メモリーカード９０、９２に格納されている格納情報を取得する。コマンド入出力部３４は、メモリーカード９０、９２が第１接続部２８及び第２接続部３０に接続されると、メモリーカード９０、９２の初期設定を実行する。ここでいう初期設定の一例は、メモリーカード９０、９２の記憶容量、空き容量、格納情報を格納するための格納速度、格納情報を取得するための取得速度等の情報を取得することである。
【００２０】
クロック出力部３６は、第１動作クロックＣＬＫ１を第１接続部２８へ出力するとともに、第１動作クロックＣＬＫ１と位相がずれた第２動作クロックＣＬＫ２を第２接続部３０へ出力する。クロック出力部３６は、生成部３８と、遅延回路部４０とを有する。生成部３８は、第１動作クロックＣＬＫ１を生成して第１接続部２８に直接出力する。生成部３８は、第１動作クロックＣＬＫ１と同位相の動作クロックを遅延回路部４０へと出力する。遅延回路部４０は、生成部３８から入力された動作クロックを遅延させて第２動作クロックＣＬＫ２へと変換した後、第２接続部３０へと出力する。これにより、第２動作クロックＣＬＫ２の位相は、第１動作クロックＣＬＫ１の位相に対してずれる。ここで、第１動作クロックＣＬＫ１と第２動作クロックＣＬＫ２の位相のずれは、１８０°が好ましい。これにより、クロック出力部３６は、第１接続部２８と第２接続部３０に対して互いに逆位相の第１動作クロックＣＬＫ１と第２動作クロックＣＬＫ２とを出力する。
【００２１】
クロック出力部３６は、第１接続部２８または第２接続部３０の一方に第１メモリーカード９０または第２メモリーカード９２が接続されていない場合でも、他方に第１メモリーカード９０または第２メモリーカード９２が接続されていると、第１接続部２８と第２接続部３０とに互いに位相のずれた第１動作クロックＣＬＫ１と第２動作クロックＣＬＫ２との両方を出力する。クロック出力部３６は、何れかの接続部（例えば、第２接続部３０）にメモリーカード（例えば、第２メモリーカード９２）が新たに接続された場合に、新たに接続された接続部（例えば、第２接続部３０）への動作クロック（例えば、第２動作クロックＣＬＫ２）の出力を停止する。この状態で、コマンド入出力部３４によって新たに接続されたメモリーカード（例えば、メモリーカード９２）を初期設定する。初期設定終了後、クロック出力部３６は、出力が継続している動作クロック（例えば、第１動作クロックＣＬＫ１）を基準にして、位相をずらした動作クロック（例えば、第２動作クロックＣＬＫ２）を動作クロックが停止中の接続部（例えば、第２接続部３０）へと出力する。また、クロック出力部３６は、第１接続部２８または第２接続部３０の一方から第１メモリーカード９０または第２メモリーカード９２が切り離された場合に、第１メモリーカード９０または第２メモリーカード９２が切り離された第１接続部２８または第２接続部３０への第１動作クロックＣＬＫ１または第２動作クロックＣＬＫ２の出力を停止することなく継続する。
【００２２】
図２は、第１接続部と第２接続部とに入力される動作クロックを説明する図である。図２に示すように、クロック出力部３６から第１接続部２８に入力される動作クロックＣＬＫ１に比べて、クロック出力部３６から第２接続部３０に入力される動作クロックＣＬＫ２は、位相が１８０°ずれている。これにより、クロック出力部３６は、２個の第１接続部２８及び第２接続部３０に対して、互いに逆位相の動作クロックＣＬＫ１、ＣＬＫ２を出力することになる。このため、第１動作クロックＣＬＫ１の立ち上がりが、第２クロックＣＬＫ２の立ち下がりと略同時となる。この結果、第１動作クロックＣＬＫ１の立ち上がりによって生じる電磁波と第２動作クロックＣＬＫ２の立ち下がりによって生じる電磁波とが逆位相となり、２つの電磁波が互いに打ち消しあう。この結果、放射特性が向上する。
【００２３】
図３は、第１接続部と第２接続部とに入力される動作クロックの他の例を説明する図である。図３に示すように、第１接続部２８に入力される第１動作クロックＣＬＫ１と第２接続部３０に入力される第２クロックＣＬＫ２は、互いの位相がずれている。尚、位相のずれは、０°より大きく１８０°よりも小さい。これにより、２つの動作クロックＣＬＫ１、ＣＬＫ２の立ち上がりが時間的にずれるので、第１動作クロックＣＬＫ１の立ち上がりによる電磁波と、第２動作クロックＣＬＫ２の立ち上がりによる電磁波との重ね合わせが抑制されて、電磁波に起因するノイズ等による周囲への影響が低減する。
【００２４】
上述した撮像装置である撮像装置１０の動作について説明する。まず、ユーザが、表示部１８に表示された画像を見つつ、入力部２４のレリーズボタンを押すと、測光センサ２０及び焦点検出センサ２２によって検出された情報に基づいて、種々の設定がされる。この後、撮像素子１４が、被写体像を受光して、その光を光電変換して画像信号を画像処理部１６に出力する。画像処理部１６では、画像信号を画像データに変換する。この後、画像データは、ユーザが入力部２４を操作することによって、後述する格納情報としてＡＳＩＣ２６を介してメモリーカード９０、９２に入力される。また、ユーザが入力部２４を操作することによって、メモリーカード９０、９２に格納された格納情報が取得されて、表示部１８に画像として表示される。
【００２５】
図４は、撮像装置による格納情報の入出力動作の前半を説明するフローチャートである。図５は、撮像装置の格納情報の入出力動作の後半を説明するフローチャートである。
【００２６】
電源がＯＮ状態になると、図４及び図５に示すフローチャートに基づくプログラムが実行される。尚、開始時は、後述するフラグＦ１及びフラグＦ２は、ともに「０」に設定されている。ＡＳＩＣ２６のコマンド入出力部３４が、第１接続部２８に第１メモリーカード９０が接続されているか否かを判定する（Ｓ１）。コマンド入出力部３４は、第１メモリーカード９０が接続されていないと判定すると（Ｓ１：Ｎｏ）、後述するステップＳ１１の処理を実行する。
【００２７】
コマンド入出力部３４は、第１メモリーカード９０が接続されたと判定すると（Ｓ１：Ｙｅｓ）、フラグＦ１に「１」を設定する（Ｓ２）。フラグＦ１は、第１メモリーカード９０の接続が検出された場合は「１」に設定され、第１メモリーカード９０の接続が検出されていない場合は「０」に設定される。次に、クロック出力部３６が第１接続部２８に出力している第１動作クロックＣＬＫ１を停止する（Ｓ３）。尚、第１動作クロックＣＬＫ１が出力されていない場合は、その停止状態が維持される。この後、コマンド入出力部３４が、第１メモリーカード９０の初期設定を実行する（Ｓ４）。ここでいう初期設定には、第１メモリーカード９０の格納情報の取得速度及び格納速度の取得と、空き容量の検出等が含まれる。
【００２８】
次に、コマンド入出力部３４は、第２動作クロックＣＬＫ２がクロック出力部３６によって第２接続部３０に出力中か否かを判定する（Ｓ５）。クロック出力部３６は、第２動作クロックＣＬＫ２が出力中と判定すると（Ｓ５：Ｙｅｓ）、停止している第１動作クロックＣＬＫ１を第１接続部２８へと出力する（Ｓ６）。ここで、クロック出力部３６は、出力中の第２動作クロックＣＬＫ２の位相に対して第１動作クロックＣＬＫ１の位相をずらして出力する。これにより、クロック出力部３６は、第２接続部３０へ出力されている第２動作クロックＣＬＫ２を基準にして位相をずらした第１動作クロックＣＬＫ１を第１接続部２８に出力することになる。一方、クロック出力部３６は、第２動作クロックＣＬＫ２が出力されていないと判定すると（Ｓ５：Ｎｏ）、第１動作クロックＣＬＫ１及び第２動作クロックＣＬＫ２の両動作クロックを出力する（Ｓ７）。ここで、第２動作クロックＣＬＫ２は、クロック出力部３６の遅延回路部４０を介して出力されるので、遅延回路部４０を介さず生成部３８から直接出力される第１動作クロックＣＬＫ１と比較して、位相がずれる。ここで、位相のずれは、好ましくは図２に示すように、互いの位相が逆位相となる１８０°である。
【００２９】
次に、ＣＰＵ１２からの指示によって、データ入出力部３２が第１メモリーカード９０に対して格納情報の入出力を実行する（Ｓ８）。格納情報が第１メモリーカード９０に入出力されている間、クロック出力部３６は、格納情報の入出力を実行していない第２接続部３０への第２動作クロックＣＬＫ２の出力を継続する。
【００３０】
この後、コマンド入出力部３４は、第１メモリーカード９０が第１接続部２８から切り離されたか否かを判定する（Ｓ９）。コマンド入出力部３４は、第１メモリーカード９０が第１接続部２８から切り離されたと判定すると（Ｓ９：Ｙｅｓ）、フラグＦ１に「０」を設定する（Ｓ１０）。ここで、クロック出力部３６は、第１メモリーカード９０が第１接続部２８から切り離されても、第１接続部２８への第１動作クロックＣＬＫ１の出力を継続する。ステップＳ１０の処理後、及び、コマンド入出力部３４が、第１メモリーカード９０が第１接続部２８から切り離されたと判定した場合（Ｓ９：Ｎｏ）、図４及び図５に「Ａ」で示すように、図５に示すステップＳ１１の処理を実行する。
【００３１】
コマンド入出力部３４は、フラグＦ２が「１」か否かを判定する（Ｓ１１）。尚、フラグＦ２は、第２メモリーカード９２の接続が検出されている場合は「１」に設定され、第２メモリーカード９２の接続が検出されていない場合は「０」に設定される。コマンド入出力部３４は、フラグＦ２が「１」と判定すると（Ｓ１１：Ｙｅｓ）、後述するステップＳ１９の処理を実行する。一方、コマンド入出力部３４は、フラグＦ２が「０」と判定すると（Ｓ１１：Ｎｏ）、第２接続部３０に第２メモリーカード９２が接続されたか否かを判定する（Ｓ１２）。
【００３２】
次に、コマンド入出力部３４は、第２メモリーカード９２が接続されていないと判定すると（Ｓ１２：Ｎｏ）、後述するステップＳ２２の処理を実行する。一方、コマンド入出力部３４は、第２メモリーカード９２が接続されていると判定すると（Ｓ１２：Ｙｅｓ）、フラグＦ２に「１」を設定する（Ｓ１３）。クロック出力部３６は、第２動作クロックＣＬＫ２を停止する（Ｓ１４）。尚、第２動作クロックＣＬＫ２が出力されていない場合は、その状態が維持される。コマンド入出力部３４は、第２メモリーカード９２の初期設定を実行する（Ｓ１５）。次に、クロック出力部３６は、第１動作クロックＣＬＫ１が出力中か否かを判定する（Ｓ１６）。クロック出力部３６は、第１動作クロックＣＬＫ１が出力中と判定すると（Ｓ１６：Ｙｅｓ）、停止していた第２動作クロックＣＬＫ２を第２接続部３０へと出力する（Ｓ１７）。ここで、クロック出力部３６は、遅延回路部４０を介して第２動作クロックＣＬＫ２を出力する。このため、第２動作クロックＣＬＫ２の位相は、停止中の第１動作クロックＣＬＫ１の位相に対してずれて出力される。これにより、クロック出力部３６は、第１接続部２８へ出力されている第１動作クロックＣＬＫ１を基準にして位相をずらした第２動作クロックＣＬＫ２を第２接続部３０に出力することになる。一方、クロック出力部３６は、第１動作クロックＣＬＫ１が出力されていないと判定すると（Ｓ１６：Ｎｏ）、停止している第１動作クロックＣＬＫ１及び第２動作クロックＣＬＫ２を出力する。ここで、第２動作クロックＣＬＫ２は、クロック出力部３６の遅延回路部４０を介して出力されるので、遅延回路部４０を介さず生成部３８から直接出力される第１動作クロックＣＬＫ１と比較して、位相がずれる。
【００３３】
次に、ＣＰＵ１２からの指示に従って、データ入出力部３２が第２メモリーカード９２に対して格納情報の入出力を実行する（Ｓ１９）。ここで、ステップＳ１１において、コマンド入出力部３４が「Ｆ２＝１」と判定した場合、ステップＳ１２〜Ｓ１７の処理を実行することなく、ステップＳ１９の処理が実行される。これにより、第２メモリーカード９２の接続状態が維持されている場合、第２メモリーカード９２の初期設定が実行されることなく、データ入出力部３２によって格納情報が第２メモリーカード９２へ入出力されることになる。尚、格納情報が第２メモリーカード９２に入出力されている間、クロック出力部３６は、第１接続部２８への第１動作クロックＣＬＫ１の出力を継続する。
【００３４】
この後、コマンド入出力部３４は、第２メモリーカード９２が第２接続部３０から切り離された否かを判定する（Ｓ２０）。コマンド入出力部３４は、第２メモリーカード９２が切り離されたと判定すると（Ｓ２０：Ｙｅｓ）、フラグＦ２に「０」を設定する（Ｓ２１）。ここで、第２メモリーカード９２が切り離されても、クロック出力部３６は、第２接続部３０への第２動作クロックＣＬＫ２の出力を継続する。
【００３５】
次に、コマンド入出力部３４は、フラグＦ１が「０」か否かを判定する（Ｓ２２）。コマンド入出力部３４は、フラグＦ１が「０」であると判定すると（Ｓ２２：Ｙｅｓ）、ステップＳ２３の処理を実行する。尚、この状況は、フラグＦ１及びフラグＦ２がともに「０」であることを意味する。次に、クロック出力部３６は、第１動作クロックＣＬＫ１及び第２動作クロックＣＬＫ２の出力を停止する（Ｓ２３）。この後、図４及び図５に「Ｃ」で示すように、ステップＳ１の処理に戻って実行する。
【００３６】
一方、ステップＳ２０において、コマンド入出力部３４は、第２メモリーカード９２が切り離されていないと判定すると（Ｓ２０：Ｎｏ）、フラグＦ１が「１」か否かを判定する（Ｓ２４）。コマンド入出力部３４は、フラグＦ１が「０」と判定すると（Ｓ２４：Ｎｏ）、図４及び図５に「Ｃ」で示すように、上述したステップＳ１の処理に戻って実行する。
【００３７】
一方、ステップＳ２４において、コマンド入出力部３４は、フラグＦ１が「１」と判定すると（Ｓ２４：Ｙｅｓ）、図４及び図５に「Ｂ」で示すように、ステップＳ８の処理を実行する。また、ステップＳ２２において、コマンド入出力部３４は、フラグＦ１が「１」と判定すると（Ｓ２２：Ｎｏ）、図４及び図５に「Ｂ」で示すように、ステップＳ８の処理を実行する。これにより、第１メモリーカード９０の接続が既に検出されて、フラグＦ１が「１」の場合は、ステップＳ１〜Ｓ６の処理が実行されることなく、ステップＳ８の処理が実行される。この結果、第１メモリーカード９０の初期設定が実行されることなく、データ入出力部３２によって格納情報が第１メモリーカード９０へ入出力されることになる。初期設定を実行する必要がないのは、第１動作クロックＣＬＫ１の出力が継続されているためである。この後、電源がＯＦＦになるまで、図４及び図５のフローチャートが繰り返される。
【００３８】
上述したように、撮像装置１０では、クロック出力部３６が、第１接続部２８に出力する第１動作クロックＣＬＫ１の位相と、第２接続部３０に出力する第２動作クロックＣＬＫ２の位相とをずらしている。これにより、第１動作クロックＣＬＫ１の立ち上がり及び立ち下がりにより生じる電磁波の一部と、第２動作クロックＣＬＫ２の立ち下がり及び立ち上がりにより生じる電磁波の一部が、互いに打ち消しあう。このため、動作クロックＣＬＫ１、ＣＬＫ２による電磁波のノイズに起因する周りへの影響を低減することができるので、ＥＭＣ（Electro Magnetic Compatibility：電波共用性）等の特性を向上させることができる。
【００３９】
更に、撮像装置１０では、クロック出力部３６が、第１動作クロックＣＬＫ１の位相と第２動作クロックＣＬＫ２の位相を１８０°ずらして逆位相にすることによって、第１動作クロックＣＬＫ１により生じる電磁波と第２動作クロックＣＬＫ２により生じる電磁波とが、より多く打ち消しあう。この結果、電磁波の周りへの影響を更に低減できる。
【００４０】
撮像装置１０では、メモリーカード９０、９２に格納情報を格納または取得していない第１接続部２８及び第２接続部３０にも、動作クロックＣＬＫ１、ＣＬＫ２を出力している。これにより、メモリーカード９０、９２への格納情報の格納または取得を再開する場合でも、初期設定を実行する必要がない。この結果、上述した電磁波の影響を低減しつつ、格納情報の格納及び取得に必要な時間を低減できる。
【００４１】
撮像装置１０では、クロック出力部３６が第１動作クロックＣＬＫ１の位相と第２動作クロックＣＬＫ２の位相とを１８０°ずらすことによって、同位相の２つの動作クロックを出力する場合と比較して、同時に流す電流を低減することができる。これにより、撮像装置１０は、消費電力を低減することができる。
【００４２】
上述した実施形態では、外部機器であるメモリーカード９０、９２が接続される第１接続部２８及び第２接続部３０が２個の場合について説明したが、接続部の数は、２個に限定されるものではない。例えば、ｎを正の整数とした場合、２ｎ個（即ち、偶数個）の接続部を有する電子機器に本発明を適用してもよい。この場合、ｎ個の接続部の全てに同じ位相の第１動作クロックを出力するとともに、残りのｎ個の接続部の全てに第１動作クロックと位相が異なる第２動作クロックを出力すればよい。尚、第１動作クロックの位相と第２動作クロックの位相すれは、１８０°として、互いの位相が逆位相となることが好ましい。
【００４３】
「２ｎ＋１」個（即ち、奇数個）の接続部を有する電子機器の場合について図面を参照して説明する。尚、簡単化のために、先に、５個の接続部に出力される動作クロックを例に説明する。図６は、５個の接続部に出力される動作クロックを説明する図である。図７は、５個の接続部に出力される他の動作クロックを説明する図である。
【００４４】
図６に示すように、２個の接続部には、第１動作クロックＣＬＫ１１を出力する。他の２個の接続部には、第１動作クロックＣＬＫ１１とは位相が１８０°異なる逆位相の第２動作クロックＣＬＫ１２を出力する。残りの１個には、第１動作クロックＣＬＫ１１及び第２動作クロックＣＬＫ１２の両方と位相が異なる第３動作クロックＣＬＫ１３を出力する。第３動作クロックＣＬＫ１３は、第１動作クロックＣＬＫ１１及び第２動作クロックＣＬＫ１２の両方と位相が９０°ずれていることが好ましい。更に、「２ｎ＋１」個の接続部に動作クロックを出力する場合、ｎ個の接続部には第１動作クロックＣＬＫ１１を出力し、他のｎ個の接続部には第２動作クロックＣＬＫ１２を出力し、残りの１個の接続部には第３動作クロックＣＬＫ１３を出力すればよい。
【００４５】
また、５個の接続部に出力される動作クロックの例として、図７に示すように、５個の接続部に出力される動作クロックＣＬＫ２１、ＣＬＫ２２、ＣＬＫ２３、ＣＬＫ２４、ＣＬＫ２５の位相をそれぞれずらしてもよい。この場合、各位相のずれは、（１８０／５）°であることが好ましい。更に、「２ｎ＋１」個の接続部に動作クロックを出力する場合、各動作クロックの位相を（１８０／ｎ）°ずらして出力すればよい。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【００４８】
上述した実施形態では、外部機器としてメモリーカードを例にあげたが、外部機器はメモリーカードに限られない。外部機器として１個のコンピュータに接続される２個の液晶ディスプレイ等であってもよい。更には、外部機器が、同じ動作クロックが供給される異なる種類のものであってもよい。例えば、複数個の外部機器の例として、同じ動作クロックが供給される異なるメモリーカードをあげることができる。また、異なるメモリーカードが接続される装置としてカードスロットをあげることができる。
【符号の説明】
【００４９】
１０  撮像装置 
１２  ＣＰＵ 
１４  撮像素子 
１６  画像処理部 
１８  表示部 
２０  測光センサ 
２２  焦点検出センサ 
２４  入力部 
２６  ＡＳＩＣ 
２８  第１接続部 
３０  第２接続部 
３２  データ入出力部 
３４  コマンド入出力部 
３６  クロック出力部 
３８  生成部 
４０  遅延回路部 
９０  第１メモリーカード 
９２  第２メモリーカード 
【図１】
2012114839.tif 000003
【図２】
2012114839.tif 000004
【図３】
2012114839.tif 000005
【図４】
2012114839.tif 000006
【図５】
2012114839.tif 000007
【図６】
2012114839.tif 000008
【図７】
2012114839.tif 000009